(57)【要約】      （修正有）【課題】搬送通路の搬送路面に加工や部品追加なく、搬送通路自体を駆動せず遊技媒体を略水平方向に搬送することによって、遊技機島の高さを低く抑える。【解決手段】遊技機と遊技媒体貸機を交互に配置した遊技機島の上部に架設され、遊技媒体４を略水平方向に搬送するとともに、搬送中の遊技媒体４を補給シュート６から遊技機または遊技媒体貸機に供給する遊技媒体搬送装置であって、遊技媒体搬送装置は、隔壁と平坦な搬送路面１１を有する搬送通路と、遊技媒体搬送帯２７とガイド帯２８とを遊技媒体４の搬送方向表面に形成した複数の搬送プレート２５を備え、搬送通路内に配設された回転部材と、回転部材の駆動機構とにより成り、回転部材の回転により、搬送通路に投入された遊技媒体４を遊技媒体搬送帯２７により搬送通路下流に搬送し、ガイド帯２８から搬送通路側方に配設された補給シュート６に搬出し、遊技機または遊技媒体貸機に遊技媒体４を供給した。【選択図】図４
2008000571.tif 000002
【特許請求の範囲】
【請求項１】
遊技機と遊技媒体貸機を交互に配置した遊技機島の上部に架設され、遊技媒体を略水平方向に搬送するとともに、該搬送中の遊技媒体を補給シュートから遊技機と遊技媒体貸機の少なくとも一つに供給する遊技媒体搬送装置であって、
前記遊技媒体搬送装置は、隔壁と平坦な搬送路面を有する搬送通路と、
遊技媒体搬送帯とガイド帯とを遊技媒体の搬送方向表面に形成した複数の搬送プレートを備え、前記搬送通路内に配設された回転部材と、
前記回転部材の駆動機構とより成り、
前記回転部材の回転により、搬送通路に投入された遊技媒体を前記遊技媒体搬送帯により搬送通路上流から下流に搬送するとともに、前記ガイド帯から搬送通路の側方に配設された補給シュートに搬出し、もって、遊技機と遊技媒体貸機の少なくとも一つに該遊技媒体を供給した
ことを特徴とする、遊技媒体搬送装置。
【請求項２】
前記搬送通路内に配設された回転部材は、無端ベルトと、該無端ベルトの外周に間隔をおいて突設され、遊技媒体の搬送方向表面に遊技媒体搬送帯と該搬送帯と連通し側方に開放されたガイド帯とを形成した複数の搬送プレートを備えたキャタピラー形状を成し、
前記回転部材の回転により、搬送通路に投入された遊技媒体を前記遊技媒体搬送帯により搬送通路上流から下流に搬送するとともに、前記ガイド帯から搬送通路の側方に配設された補給シュートに搬出し、もって、遊技機と遊技媒体貸機の少なくとも一つに該遊技媒体を供給した
ことを特徴とする、請求項１項記載の遊技媒体搬送装置。
【請求項３】
前記搬送通路内に配設された回転部材は、円筒状本体と、該円筒状本体の外周に間隔をおいて突設された複数の搬送プレートを有する水車形状を成し、
前記搬送プレートは、遊技媒体の搬送方向表面に遊技媒体搬送帯と該搬送帯と連通し側方に開放されたガイド帯とが形成され、
前記回転部材の回転により、搬送通路に投入された遊技媒体を前記遊技媒体搬送帯により搬送通路上流から下流に搬送するとともに、前記ガイド帯から搬送通路の側方に配設された補給シュートに搬出し、もって、遊技機と遊技媒体貸機の少なくとも一つに該遊技媒体を供給した
ことを特徴とする、請求項１項記載の遊技媒体搬送装置。
【請求項４】
前記搬送プレートは、その表面に払拭部材を配設するか、または、払拭部材にて形成された
ことを特徴とする請求項１項ないし請求項３項のいずれかに記載の遊技媒体搬送装置。
【発明の詳細な説明】
【技術分野】
【０００１】  本発明は、遊技媒体を遊技機島に配設された遊技機や遊技媒体貸機に搬送供給するための遊技媒体搬送装置、特に、遊技媒体を平坦な搬送路面上で搬送させる遊技媒体搬送装置に関する。
【背景技術】
【０００２】  遊技機島に配設されている遊技機や遊技媒体貸機に遊技媒体を搬送供給するための搬送装置は、一般的には、遊技機島の上方に傾斜させて配設されていて、その傾斜を利用して補給タンクから補給経路内に供給された遊技媒体を搬送装置に形成された補給経路内部を上流から下流方向に下るように転送させることで遊技媒体を各々の遊技機や遊技媒体貸機に供給していた。しかしながら、このような傾斜した補給経路を有する搬送装置を備えた遊技機島では、遊技機島の上部が高く、しかも大きくなることが避けられなかった。このことは、遊技媒体の供給量が多く、また、補給経路が長くなるほど顕著に現れる傾向にある。このため、遊技機島が大型化されたホールでは、ホール内に取付けられた防犯カメラの視界が遊技機島（搬送装置）によって遮られる場合や、照明がとどかない影の部分が多くなり、その影を解消するために照明の数を増やす必要が生じる等の問題点があるばかりか、遊技場の内装設備等の設計自由度を阻害する恐れがあった。【０００３】  このため、それらの問題点を解決するために、特許第２５１８４９０号（特許文献１）のように固定経路部に流下してきたパチンコ玉を、駆動モータ２６（特許文献１中の符号）によって回転駆動される駆動ローラ２２（特許文献１中の符号）と、従動ローラ２３（特許文献１中の符号）と、その間に掛け渡された水平搬送ベルト２１（特許文献１中の符号）によって水平に搬送する構成が開示されている。【０００４】  そして、この構成では、補給経路１０（特許文献１中の符号）の側部に分離器４１（特許文献１中の符号）を設け、この分離器４１に隣設した膨出側壁４４（特許文献１中の符号）によって、水平搬送ベルト２１（特許文献１中の符号）で送られてきたパチンコ玉を振り分けてパチンコ玉をパチンコ機２（特許文献１中の符号）に供給していた。【０００５】  この出願の発明に関連する先行技術文献としては次のものがある。
【特許文献１】  特許第２５１８４９０号（特開平６−３９１３６）
【非特許文献１】  なし
【発明の開示】
【発明が解決しようとする課題】
【０００６】  しかしながら、このようなパチンコ玉を水平搬送ベルト２１（特許文献１中の符号）によって搬送する搬送構造では、遊技機島の上部に補給経路を傾斜させた搬送装置を配設した場合に対して、遊技機島の上部が高くなったり、大きくなったりするという問題点や遊技機島が防犯カメラの視界を阻害することや遊技場の内装設備等の設計自由度を阻害する等の問題点は解消されるが、水平搬送ベルト２１（特許文献１中の符号）自体が回転駆動する構成のため、長い遊技機島への対応が困難であるばかりか、水平搬送ベルト２１（特許文献１中の符号）に不都合が生じた場合には、装置全体を停止させて修理する必要がある等、装置の構築、保守点検が容易でなく、しかも、水平搬送ベルト２１（特許文献１中の符号）自体も常時ベルトを張設しておく必要があり、そのための部品であるテンションローラ２４（特許文献１中の符号）やベルト支持部材２５（特許文献１中の符号）等が必須となり、必然的に部品点数が増加してコストアップの要因となる恐れがあった。更に、水平搬送ベルト２１は、駆動ローラ２２（特許文献１中符号）と従動ローラ２３との間に無端状態で掛け渡されているため水平搬送ベルト２１（特許文献１中符号）の上側面を使用してパチンコ玉の搬送を行うにも係わらず装置として水平搬送ベルト２１（特許文献１中符号）下側面の収納スペースを確保する必要があり、遊技機島の上部の高さを低くするには限度があった。【０００７】  更に、パチンコ玉をパチンコ機２（特許文献１中の符号）に供給するには、水平搬送ベルト２１（特許文献１中符号）を樽状のテンションローラ２４（特許文献１中の符号）と板状のベルト支持部材２５（特許文献１中の符号）とを交互に設けて支持して、パチンコ玉を該水平搬送ベルト２１（特許文献１中符号）から補給経路１０（特許文献１中の符号）の側部に形成された玉待機経路部４０（特許文献１中の符号）に転送した後に、膨出側壁４４（特許文献１中符号）によって、分離器４１（特許文献１中符号）内に振り分けられていた。従って、パチンコ玉の搬送流は、水平搬送ベルト２１（特許文献１中の符号）から樽状のテンションローラ２４（特許文献１中の符号）の傾斜面を流れ、一旦玉待機経路部４０（特許文献中１の符号）に転送されたパチンコ玉は、後から搬送されてくるパチンコ玉の押圧力によって分離器４１（特許文１献中符号）へ振り分けられるものであるからパチンコ機２（特許文献１中の符号）へのパチンコ玉の補給を機敏に行うことが困難であった。更に、このような構成の場合には、搬送路面に何らかの加工を施したり、部品を追加したりしている。このため、搬送路の構成が複雑と成るばかりか、他の装置との兼ね合いが困難となり、専用部品化の傾向が強くなりコスト低減の障害となる恐れがあった。【０００８】  本発明は、上記の問題を解決するためになされたものであり、その目的は、搬送通路の搬送路面に何らかの加工を施したり、部品を追加したりすることもなく、しかも搬送通路自体を駆動することなく遊技媒体を略水平方向に搬送することによって、遊技機島の高さを低く抑えることができ、しかも部品点数が少なく、装置の構築、保守点検が容易であり、コスト的にも有利で、且つ、回転部材の回転により常時搬送路面上で遊技媒体を転送しているため、遊技機や遊技媒体貸機への遊技媒体の補給を機敏に行うことができる遊技媒体搬送装置を提供するものである。
【課題を解決するための手段】
【０００９】  上記課題を解決するため、本発明においては、遊技機と遊技媒体貸機を交互に配置した遊技機島の上部に架設され、遊技媒体を略水平方向に搬送するとともに、該搬送中の遊技媒体を補給シュートから遊技機と遊技媒体貸機の少なくとも一つに供給する遊技媒体搬送装置であって、前記遊技媒体搬送装置は、隔壁と平坦な搬送路面を有する搬送通路と、遊技媒体搬送帯とガイド帯とを遊技媒体の搬送方向表面に形成した複数の搬送プレートを備え、前記搬送通路内に配設された回転部材と、前記回転部材の駆動機構とより成り、前記回転部材の回転により、搬送通路に投入された遊技媒体を前記遊技媒体搬送帯により搬送通路上流から下流に搬送するとともに、前記ガイド帯から搬送通路の側方に配設された補給シュートに搬出し、もって、遊技機と遊技媒体貸機の少なくとも一つに該遊技媒体を供給したものである。【００１０】  このことにより、搬送装置の搬送路面に何らかの加工を施したり、部品を追加したりすることもなく、しかも装置自体を駆動することなく遊技媒体を略水平方向に搬送することによって、遊技機島の高さを低く抑えることができ、しかも部品点数が少なく、装置の構築、保守点検が容易であり、コスト的にも有利で、且つ、回転部材の回転により常時搬送路面上で遊技媒体を転送するとともに補給シュートに補給するため、遊技機や遊技媒体貸機への遊技媒体の補給を機敏に行うことができる。【００１１】  前記搬送通路内に配設された回転部材は、無端ベルトと、該無端ベルトの外周に間隔をおいて突設され、遊技媒体の搬送方向表面に遊技媒体搬送帯と該搬送帯と連通し側方に開放されたガイド帯とを形成した複数の搬送プレートを備えたキャタピラー形状を成し、前記回転部材の回転により、搬送通路に投入された遊技媒体を前記遊技媒体搬送帯により搬送通路上流から下流に搬送するとともに、前記ガイド帯から搬送通路の側方に配設された補給シュートに搬出し、もって、遊技機と遊技媒体貸機の少なくとも一つに該遊技媒体を供給したものである。【００１２】  このことにより、回転部材の無端ベルトの範囲内で補給シュートの位置を任意に設定することができ、遊技媒体搬送装置の設計自由度を増すことができる。【００１３】  前記搬送通路内に配設された回転部材は、円筒状本体と、該円筒状本体の外周に間隔をおいて突設された複数の搬送プレートを有する水車形状を成し、前記搬送プレートは、遊技媒体の搬送方向表面に遊技媒体搬送帯と該搬送帯と連通し側方に開放されたガイド帯とが形成され、前記回転部材の回転により、搬送通路に投入された遊技媒体を前記遊技媒体搬送帯により搬送通路上流から下流に搬送するとともに、前記ガイド帯から搬送通路の側方に配設された補給シュートに搬出し、もって、遊技機と遊技媒体貸機の少なくとも一つに該遊技媒体を供給したものである。【００１４】  このことにより、補給シュートの位置に合わせて回転部材を配置することができ、遊技機島のタイプに合わせて遊技媒体搬送装置を比較的容易に架設することができるばかりか、回転部材の一つが故障した場合にあっても装置全体を停止させることなく補修することができる。【００１５】  次の発明は、前記搬送プレートは、その表面に払拭部材を配設す���か、または、払拭部材にて形成されたものである。【００１６】  このことにより、遊技媒体の搬送中に遊技媒体に付着した埃、油分などを払拭することにより、常に遊技媒体を清潔な状態に維持することができ遊技者に不快感を与える恐れが少ない。
【発明の効果】
【００１７】  以上のように、本発明によれば、搬送装置の搬送路面に何らかの加工を施したり、部品を追加したりすることもなく、しかも装置自体を駆動することなく遊技媒体を略水平方向に搬送することができるため、遊技機島の高さを低く抑えることができ、しかも部品点数が少なく、装置の構築、保守点検が容易であり、コスト的にも有利で、且つ、回転部材の回転により常時搬送路面上で遊技媒体を転送しているため、遊技機や遊技媒体貸機への遊技媒体の補給を機敏に行うことができる遊技媒体搬送装置を提供するものである。
【発明を実施するための最良の形態】
【００１８】  以下、本発明を実施するための最良の形態を、図面に基づいて説明する。図１は、本発明の遊技媒体搬送装置を配設した遊技機島を示した斜視図である。図２は、本発明の遊技媒体搬送装置の第一実施例を示した要部概略平面図である。図３は、本発明の第一実施例を示した要部側面断面図である。図４は、本発明の搬送プレートを示した要部概略斜視図である。図５は、本発明の無端ベルトを示した要部概略斜視図である。図６は、本発明の第二実施例を示した要部側面断面図である。【００１９】  本発明の遊技媒体搬送装置１は、図１に示すように複数の遊技機２と該遊技機２の間に配設された遊技媒体貸機３から構築された遊技機島１００の上方に架設されている。そして、この遊技機島１００の長手方向略中央部には、遊技媒体４（図１参照）の貯留タンク５が設けられていて、貯留タンク５に貯留されている遊技媒体４を必要に応じて遊技媒体搬送装置１に供給している。前述の遊技媒体搬送装置１は、この供給された遊技媒体４を遊技機島の端部側（下流）に搬送する。そして、この搬送過程で遊技媒体４を補給シュート６（図２参照）を経由して遊技機２と遊技媒体貸機３の少なくとも一つに供給している。なお、遊技媒体搬送装置１に遊技媒体４を供給する貯留タンク５側を上流と言い、島の端部側を下流と言う。例えば、隣接する補給シュート６同士で考えると、貯留タンク５に近い補給シュート６側を上流側、貯留タンク５から遠い補給シュート６側を下流側と言う。【００２０】  以下、詳細を図に基づいて説明する。図２ないし図５は、本発明の遊技媒体搬送装置の第一実施例を示したものであり、この遊技媒体搬送装置１は、遊技機２と遊技媒体貸機３を交互に並設した二つの列を対向して配置したいわゆる両島と称される遊技機島１００の各々の列上部に搬送通路１０を架設している。そして、それらの搬送通路１０には、回転部材２０が配設され、駆動機構３０で回転されるように構成されている。以下、主に片側の列に架設された搬送通路１０について説明する。【００２１】  搬送通路１０は、平坦な搬送路面１１とその搬送路面１１の両側に立設された隔壁１２とで構成されている。即ち、遊技機島１００の上流から下流に至る範囲に架設された断面チャンネル状の樋形状に形成されている。そして、隔壁１２には、後述する回転部材２０の回転軸２１ａ、２１ｂを軸支する軸受（図示しない）と補給シュート６と連通する孔（図示しない）が適宜間隔で形成されている。そして、この隔壁１２の孔（図示しない）の外側には、補給シュート６が取付けられている。【００２２】  回転部材２０は、搬送通路１０内に隔壁１２に沿って離間して配設された駆動ギア２２と従動ギア２３と、この駆動ギア２２と従動ギア２３に巻架された無端ベルト２４とを備えたキャタピラー形状に構成されている。そして、駆動ギア２２と従動ギア２３の回転軸２１ａと回転軸２１ｂは、各々隔壁１２に回転可能に軸止されているが、駆動ギア２２の回転軸２１ａの端部は、隔壁１２より突出（遊技機島１００の短手方向中心に）して駆動機構３０に連結されている。尚、実施例では、搬送通路１０内に二つの回転部材２０を遊技媒体４の搬送方向に並設しているが、この数に限定されるもので��ない。【００２３】  この回転部材２０の無端ベルト２４の外周には、複数の搬送プレート２５が間隔を空けて突設されている。この搬送プレート２５には、図４に示すように、無端ベルト２４の幅方向中央部分に帯体２６から先端（外方側）にかけて遊技媒体搬送帯２７が形成されている。この遊技媒体搬送帯２７は、搬送プレート２５の遊技媒体４の搬送方向に開放された凹形状を成している。そして、遊技媒体搬送帯２７の先端側には、ガイド帯２８が連通されている。このガイド帯２８は、その先端をＬ状に切り欠いて搬送方向に開放された形状を成している。そして、遊技媒体搬送帯２７の連通部から側縁にかけて搬送方向と反対方向に下り傾斜するような傾斜面２９を形成している。【００２４】  駆動機構３０は、遊技機島１００の各々の列上部に架設されている搬送通路１０の間に配設されていて、両方の列に配設された回転部材２０を同期回転させている。即ち、隣設している回転部材２０の駆動ギア２２を取付けた回転軸２１ａに各々回転ギア３１を固着し、その間に駆動ベルト３２を巻架させている。そして、この回転ギア３１を駆動モータ（図示しない）で回転することによって各回転部材２０に設けられている無端ベルト２４を図３の矢印方向に回転させる。【００２５】  回転部材２０の回転により、補給タンク５から搬送通路１０の供給された遊技媒体４は、回転部材２０の駆動ギア２２側から搬送プレート２５によって掻き込まれる。一般的に補給タンク５は、搬送通路１０より上方に配置されているので搬送通路１０に供給された遊技媒体４は平坦な搬送路面１１の上を転がって回転部材２０方向に運ばれる。搬送プレート２５によって掻き込まれた遊技媒体４は、搬送通路１０の内を隔壁１２と搬送プレート２５で画成された空間に収容され、搬送プレート２５の移動とともに搬送路面１１上を転動する。そして、搬送プレート２５が補給シュート６を通過するときに隔壁１２に形成されている孔（図示しない）から遊技媒体搬送帯２７とガイド帯２８に収容されている遊技媒体４をガイド帯２８の傾斜面２９に沿って補給シュート６内に搬出する。搬出されないで残った遊技媒体４は（主に遊技媒体搬送帯２７に収容されていたもの）つぎの補給シュート６まで搬送され同様の動作を繰り返す。更に残った遊技媒体４は下流の回転部材２０に送り込まれる。【００２６】  このようにして遊技媒体４は、下流に転送され、最も下流に搬送されて行き止まったときには、順次上流方向に堆積貯留される。尚、この実施例では、遊技媒体搬送装置１の最下流側を堰止めした遊技機島に配置しているが、遊技媒体４を先端部分から遊技機島の下方に配置した搬送装置（図示しない）に吐き出し、再度補給タンク５に循環させる循環タイプの遊技機島に配置することもできる。【００２７】  図６は、遊技媒体搬送装置１の第２実施例を示したもので、この実施例は、遊技媒体搬送装置１に水車形状の回転部材２０を用いた構成を示したものである。すなわち、回転部材２０は、回転軸２１ｃを有する円柱本体２１の外周に搬送プレート２５を形成したものである。この搬送プレート２５には、第１実施例と同様に遊技媒体搬送帯２７と傾斜面２９を有するガイド帯２８が形成されている。そして、この���転部材２０は、回転軸２１ｃを伝達機構（図示しない）を介して駆動モータ（図示しない）に連結することによって回転される。【００２８】  第１実施例と相違する主な点は、回転部材２０と補給シュート６の配置関係にある。すなわち、第１実施例では、回転部材２０をキャタピラー形状に構成し、この帯体２６の間隔をあけて搬送プレート２５を突設してあるので、回転部材２０の回転に伴って搬送プレート２５は、搬送通路面１１と平行に一定距離移動する。このため、その移動範囲内に補給シュート６を配置すれば、遊技媒体４が搬送通路１０から補給シュート６に搬出されるが、第２実施例では、回転部材２０が水車に構成されている関係上、搬送プレート２５は、回転部材２０の回転中心と同じ点を中心として回転し、平行移動しないため、補給シュート６は、回転部材２０に対して遊技媒体４の搬送方向に若干離れた位置に配置する必要がある。すなわち、搬送プレート２５の先端が搬送路面１１に最も近い位置から遊技媒体４の搬送方向に上昇を開始した位置に補給シュート６の開口端部が位置するのが望ましい。当然、隔壁１２には、その位置に補給シュート６に連通する孔（図示しない）が形成されている。尚、補給シュート６同士の間が大きい時には、中間に遊技媒体４の搬送のみを目的とした中継用の回転部材２０を配設することによって遊技機島１００の長さの変化に対応することができる。【００２９】  補給タンク５から搬送通路１０に供給された遊技媒体４は、平坦な搬送路面１１上を転がって最初の回転部材２０に至り、搬送プレート２５で搬送プレート２５と隔壁１２とによって画成された空間内部に掻き込まれる。この掻き込まれた遊技媒体４は、遊技媒体搬送帯２７とガイド帯２８に各々収容され、搬送プレート２５が回転して行くに連れ、遊技媒体搬送帯２７に収納されている遊技媒体４は、回転部材２０から搬送方向に放出される分とガイド帯２８から傾斜面２９を介して補給ホッパー６とに分流される。一方、ガイド帯２８に収容された遊技媒体４は傾斜面２９を転がって補給ホッパー６に至る。このとき補給ホッパー６が配設されていない位置では、ガイド帯２８に収容された遊技媒体４も搬送方向に放出され下流の回転部材２０へ搬送される。【００３０】  尚、これらの実施例では、いずれも駆動機構３０を各搬送通路１０の間に配設しているが、搬送路１０を幅方向に拡大形成して遊技機島１００の中央長手方向に１列架設し、それに伴って回転部材２０も搬送路１０の幅方向に拡大形成して、駆動機構３０を搬送路１０の外側に配設されるよう構成しても良い。このように構成することによって一つの回転部材２０で両側の補給シュート６に遊技媒体４を供給することができる。【００３１】  また、７は、払拭部材であって、搬送プレート２５の遊技媒体４の搬送方向表面に貼着されている。このように払拭部材７を貼着することによって、遊技媒体４を搬送する際に遊技媒体４を払拭部材７に接触させ遊技媒体４の表面を清掃することによって遊技者への不快感を軽減している。また、べつに、回転部材２０自体を払拭に適した材質で形成することによって遊技媒体４を常時清掃して遊技者への不快感を軽減することもできる。
【図面の簡単な説明】
【００３２】
【図１】本発明の遊技媒体搬送装置を配設した遊技機島を示した斜視図である。
【図２】本発明の遊技媒体搬送装置の第一実施例を示した要部概略平面図である。
【図３】本発明の第一実施例を示した要部側面断面図である。
【図４】本発明の搬送プレートを示した要部概略斜視図である。
【図５】本発明の本発明の無端ベルトを示した要部概略斜視図である。
【図６】遊技媒体搬送装置の第二実施例を示した要部側面断面図である。
【符号の説明】
【００３３】１００  遊技機島
１  遊技媒体搬送装置
１０  搬送通路
１１  搬送路面
１２  隔壁
２０  回転部材
２１  円柱本体
２１ａ、２１ｂ、２１ｃ  回転軸
２２  駆動ギア
２３  従動ギア
２４  無端ベルト
２５  搬送プレート
２６  帯体
２７  遊技媒体搬送帯
２８  ガイド帯
２９  傾斜面
３０  駆動機構
３１  回転ギア
３２  駆動ベルト
２  遊技機
３  遊技媒体貸機
４  遊技媒体
５  遊技媒体貯留タンク
６  補給シュート
７  払拭部材
【図１】
2008000571.tif 000003
【図２】
2008000571.tif 000004
【図３】
2008000571.tif 000005
【図４】
2008000571.tif 000006
【図５】
2008000571.tif 000007
【図６】
2008000571.tif 000008